(57)【要約】【課題】部材点数が多数で加工数も多く且つ構造が複雑化された種々の課題を解消する。【解決手段】本考案は、二次側の第二の巻回組には少なくとも並列して纏われる二つの巻回体２３，２４を有し、また、第二の巻回組には、並列巻回の方式によって複数層を形成し、且つそれぞれの層の間には絶縁体３０が配置される変圧器のワイヤ巻回構造である。【選択図】      図２
0003107047.tif 000002
【実用新案登録請求の範囲】
【請求項１】
入力電圧を一次側の第一の巻回組へ印加し、二次側の第二の巻回組に通電させることによって、電圧転換を行い出力し、少なくとも二つの負荷を使用することができるインバータに設けられる変圧器のワイヤ巻回構造であって、
前記二次側の第二の巻回組は、並列に巻きつけられる少なくとも二本の巻回体により構成され、且つ複数層に並列巻き付けられた該巻回体によるそれぞれの層間に介在する絶縁体を具備することを特徴とする特徴とする変圧器のワイヤ巻回構造。
【請求項２】
前記巻回体としてエナメル・ワイヤを使用することを特徴とする  請求項１に記載の変圧器のワイヤ巻回構造。
【請求項３】
前記負荷としてコールド・カソード・チューブを使用することを特徴とする請求項１に記載の変圧器のワイヤ巻回構造。
【請求項４】
前記一次側の第一の巻回組と前記二次側の第二の巻回組が、中空の巻回管に巻回されるとともに、コアによってその巻回管を貫通するようにしたことを特徴とする請求項１に記載の変圧器のワイヤ巻回構造。
【考案の詳細な説明】
【技術分野】
【０００１】
本考案は、インバータ等に適用される変圧器のワイヤ巻回構造に関する。
【背景技術】
【０００２】
一般に、変圧器のワイヤ巻回構造は、コアを巻回軸内に貫通させ、巻回軸に同一または異なる径のコイルを巻いて一次側コイルと二次側コイルを形成させる。形成された一次側コイルと二次側コイルはカバーによって覆われることで誘電コイルとしての変圧器の機能を有する。
【０００３】
また、一般の液晶パネルは、製造工程において、明るさを向上させるために変圧器に複数のコールド・カソード・チューブを連結させて、複数の一次側コイルと複数の二次側コイルを設ける必要がある。これにより、複数セットの駆動電流を出力して後部における複数本のコールド・カソード・チューブを駆動することができる。
【０００４】
しかし、このような構成は、コールド・カソード・チューブの一次側と二次側に出力する駆動電流がそれぞれ異なり、明るさが不均一になる虞がある。且つコールド・カソード・チューブを駆動するための電流が照明輝度と深い関係を有している。下記に、昨今の製品の構造について図面に合せて詳しく説明する。
【０００５】
図４を参照して従来の変圧器の使用状態を説明する。図４は、従来の変圧器の構成図である。変圧器は、コア・ピース・セット１０、２組の一次側コイル１１、２組の二次側コイル１３及び、２つの負荷１５を有している。  
２組の一次側コイル１１はコア・ピース・セット１０の中間部分に配置され、２組の二次側コイル１３がコア・ピース・セット１０の両端部に配設されている。２組の一次側コイル１１及び二次側コイル１３の間には、２本のスペーサー１４が設けられ仕切られている。図面に示すように、２つの負荷１５がすべて端部に配設される。
【０００６】
変圧器は、入力電圧１２（Ｖｉ）を２組の一次側コイル１１により入力され、コア・ピース・セット１０を経由して励起し、二次側コイル１３から駆動電流を供給し、後部の例えばコールド・カソード・チューブといった負荷１５を駆動する。
【０００７】
コア・ピース・セット１０の両端部に巻回される２組の二次側コイル１３は電気回路基板（ＰＣＢ）をプリントする。その際に経路を介することで、２組の二次側コイル１３は後部の負荷１５に接続でき、且つ駆動を実行する。また、二層電気回路基板を使用することで、この２組の二次側コイル１３を後部の負荷１５に接続できる。  
【考案の開示】
【考案が解決しようとする課題】
【０００８】
従来の変圧器の構成は、製造プロセスが煩雑になり、加工時間がかかり、また二層電気回路基板を採用すると、基板を構築する際の構造上の設計が複雑になる。このような構造は、製造コストを大幅に高くするため、昨今の業界のニーズに応じていない。
【０００９】
またコア・ピース・セット１０は、２組のＥ字形コア１００を互いに繋げて形成するため、境目で磁力線が不連続的になるとともに、消耗されてしまう虞がある。両端部に巻回された２組の二次側コイル１３はそれぞれコア・ピース・セット１０の誘電量が異なるようなことを招く。また、出力電圧と駆動電流とが多少の相違を生成する虞がある。さらに駆動電流が後部に設けられた２組の負荷１５を駆動するため、２組の二次側コイル１３の駆動電流が不均一になる場合がある。その場合には、２組の負荷１５による照明輝度が不均一になる。
【００１０】
そこで本考案は、部材点数が多数的で加工数も多く且つ構造が複雑化されたそれぞれの種々の課題を解消することができる変圧器のコイル巻回構造を提供することを目的とする。
【課題を解決するための手段】
【００１１】
本考案は、目的を達成するために、入力電圧を一次側の第一の巻回組へ印加し、二次側の第二の巻回組に通電させることによって、電圧転換を行い出力し、少なくとも二つの負荷を使用することができるインバータに設けられる変圧器のワイヤ巻回構造であって、
前記二次側の第二の巻回組は、並列に巻きつけられる少なくとも二本の巻回体により構成され、且つ複数層に並列巻き付けられた該巻回体によるそれぞれの層間に介在する絶縁体を具備することを特徴とする特徴とする変圧器のワイヤ巻回構造を提供する。
【考案の効果】
【００１２】
本考案は目的を達成するために、部材点数が多数的で加工数も多く且つ構造が複雑化されたそれぞれの種々の課題を解消することができる変圧器のコイル巻回構造を提供できる。
【考案を実施するための最良の形態】
【００１３】
本考案に開示される変圧器のコイル巻回構造は、主として、一種の二次側の第二の巻回組に、並列巻回される少なくとも二つの巻回体を有している。この考案によって、単一のコアと単一の巻回体からなる一次側の第一の巻回組を用いるだけで、二次側の第二の巻回組に対して、複数の相似する駆動電流を出力して後段に接続される複数の負荷を駆動する。この考案により、構造が簡素化され、且つ接続される負荷の明るさの均一性を向上する効果を有している。
【００１４】
以下、図面を参照して、本考案の実施形態について詳細に説明をする。図１は、本考案に係る外観構成を示す図である。図３は、使用状態を示す図である。  
本考案は、変圧器のコイル巻回構造を有し、電圧２５（Ｖｉ）が一次側の第一の巻回組２２に入力されてコア２０が励起される。このコア２０が励起されると、二次側の第二の巻回組の２組の並列巻回される巻回体２３，２４によって電圧が変圧される。この例では、巻回体２３，２４として、例えば、エナメル・ワイヤが好適する。
【００１５】
次に、変圧器は安定な駆動電流を提供し、負荷４０，４１を駆動する。負荷４０，４１は一例としてコールド・カソード・チューブがある。
【００１６】
また変圧器のコイル巻回構造は、メイン部分である巻回管２１、巻回管２１内部には中空空間２１６、外側には一次側の第一の巻回組区２１１及び二次側の第二の巻回組区２１２を有する。
【００１７】
一次側の第一の巻回組区２１１には第一の巻回組２２が巻回され、二次側の第二の巻回組区２１２には、２組の第２の巻回体２３，２４が並列巻回されている。
【００１８】
この第二の巻回管２１の両端部には、第一と第二の組立部２１３，２１４が設けられ、下方に向けて伸び且つ等間隔に第一と第二の端子２１０，２１５が配列されている。これらの第一と第二の端子２１０，２１５は、図示しない電気回路基板に半田付けにより固着してもよく、一般的な交流電圧（ＡＣ）を入力させることができる。また、本考案は、コア２０を有し、巻回管２１の中空空間２１６内に配設されている。
【００１９】
図２に示すのはコイル巻回の断面を示す図である。図２に示すように２組の並列巻回される巻回体２３，２４の二次側の第二の巻回組の巻回過程は、同時に且つ並列巻回する方式である。これらの巻回体２３，２４は、二次側の第二の巻回区２１２に巻回され、すべての巻回の周り数が終わるまで続けて巻回し、複数層の構造を形成させる。
【００２０】
さらに均一的なインダクタンスを生成することで均一的な駆動電流を取得し、負荷４０，４１の照明輝度を安定化させる。負荷４０，４１は、一例としてコールド・カソード・チューブが好適する。二次側に位置する第二の巻回組区２１２は、コイルの各層間には絶縁薄膜からなる絶縁体３０を挟み込んでいる。
【００２１】
絶縁体３０は、二次側の第二の巻回組の２組の並列巻回される巻回体２３，２４からなる複数層をほぼ完全に分ける構成になる。これにより複数層からなる巻回体が整えられる。さらに、ショートを生じることも防止でき、変圧器の出力電気特性を確保でき、且つ変圧器の信頼性と品質を向上でき、歩留まりを大幅に改善できる。
【００２２】
さらに巻回方式が高圧端と低圧端のロードに応用でき、その中では並列巻回される、少なくとも二つの巻回体（例えば、二次側における第二の巻回組の二つの並列巻回される巻回体２３，２４を使用できる）によって、同期的に１組以上の負荷（例えば負荷４０，４１）を駆動できる。
【図面の簡単な説明】
【００２３】
【図１】本考案に係る第一の実施形態の概観構成を示す図である。
【図２】第一の実施形態におけるコイル巻回の断面を示す図である。
【図３】第一の実施形態におけるコイル巻回の使用状態を示す図である。
【図４】従来の変圧器の使用状態を示す説明図である。
【符号の説明】
【００２４】
２０：コア、２１：巻回管、２２：第一の巻回組、２３：巻回体、２４：巻回体、２１０：端子、２１１：第一の巻回組区、２１２：第二の巻回組区、２１３：、２１４：、２１５：端子、２１６：中空空間、３０：絶縁体、４０：負荷、４１：負荷、
【図１】
0003107047.tif 000003
【図２】
0003107047.tif 000004
【図３】
0003107047.tif 000005
【図４】
0003107047.tif 000006